(57)【要約】      （修正有）【課題】複数の料理を盛りつける等の、多様な盛り付けを可能にするフードピックを提供する。【解決手段】ツリー状に形成されたフードピック１であって、根元部４と枝部３ａ〜３ｅの双方が突き刺し部として形成される。フードピック１は、板状に形成され、根元部４からツリーの胴部２を軸として、枝部３ａ〜３ｅが左右交互に伸びている。ツリー状フードピックは、根元部４の突き刺し部と嵌合する凹部が１つ乃至複数設けられた台座を有する。ツリー状を呈することで、フードピック１に食品６ａ〜６ｅを飾って盛り付けることもでき、またフードピック１自体を飾りのように食品６ａ〜６ｅに突き刺して盛り付けることもできる。【選択図】図２
0003203738.tif 000002
【実用新案登録請求の範囲】
【請求項１】
ツリー状に形成されたフードピックであって、根元部と枝部の双方がフードの突き刺し部として形成されたことを特徴とするツリー状フードピック。
【請求項２】
前記フードピックは、板状に形成され、
前記根元部からツリーの胴部を軸として、前記枝部が左右交互に伸びていることを特徴とする請求項１に記載のツリー状フードピック。
【請求項３】
前記根元部の突き刺し部と嵌合する凹部が１つ乃至複数設けられた台座を有することを特徴とする請求項１又は２に記載のツリー状フードピック。
【考案の詳細な説明】
【技術分野】
【０００１】
本考案は、食品のフードピックに関するものである。
【背景技術】
【０００２】
食事の際に、食品を口へ運ぶための食器としては、箸、フォーク、スプーン等、様々なものが使用されている。そして、ホームパーティーやケータリングのように、多数の人が、１つの料理を楽しむ場合には、串や楊枝が別途用意されたり、或は、串や楊枝が予め料理に刺された状態で提供されることが多い。
しかしながら、これらは通常、突き刺し部が１箇所のシンプルな形状を呈していることから、実用的な用途に限られ、食べ物の装飾等の用途には不向きであることが多い。
【０００３】
そこで、食品に突き刺して使用するフードピックにおいて、食品に突き刺された際に食品より外部に露呈する部分が、食品と一体となって特定の一形態を形成するフードピックが知られている（特許文献１を参照）。
これは、フードピックと食品とが一体となって特定の一形態を形成することで、子供たちにとっても興味を持ちやすくなり、楽しく食事ができるようにしたものである。
しかしながら、上記特許文献１に開示されたピックは、フードピックと食品とが一体となって特定の一形態を形成する点に重きを置くがゆえに、該形態と結び付けて使用する場合に用途が限られてしまうという問題がある。
【先行技術文献】
【特許文献】
【０００４】
【特許文献１】実用新案登録第３１２７７４４号公報
【考案の概要】
【考案が解決しようとする課題】
【０００５】
上記状況に鑑みて、本考案は、複数の料理を盛りつける等の、多様な盛り付けを可能にするフードピックを提供することを目的とする。
【課題を解決するための手段】
【０００６】
上記目的を達成すべく、本考案のツリー状フードピックは、ツリー状に形成されたフードピックであって、根元部と枝部の双方がフードの突き刺し部として形成された構成を有する。ツリー状を呈することで、フードピックに食品を飾って盛り付けることもできるし、また、フードピック自体を飾りのように食品に突き刺して盛り付けることも可能にする。根元部を食品に突き刺してフードピックのように利用したり、或は、食品を枝部に突き刺し、盛り付け用道具として利用できる。突き刺し部の枝部は複数設けることが可能であるので、多様な盛り付けが可能である。
本考案のツリー状フードピックの材料としては、フォークなどの食器に通常用いられる木材や金属材料を用いることができる。
【０００７】
本考案のツリー状フードピックは、板状に形成され、根元部からツリーの胴部を軸として、枝部が左右交互に伸びていることが好ましい。フードピック自体の形状が２次元的な板状を呈することで、片手で把持しやすくなり、また、複数のフードピックを重ねて収納することを容易にする。また、根元部からツリーの胴部を軸として、枝部が左右交互に伸びていることにより、左右の枝部に食品を突き刺した場合に、バランスを保ちやすくなり、枝部に突き刺した食品を安定に保持しやすい。
【０００８】
本考案のツリー状フードピックは、根元部の突き刺し部と嵌合する凹部が１つ乃至複数設けられた台座を有することが好ましい。
ここで、台座の材質は、木製であることが好ましいが、プラスチック、シリコン等の樹脂製のものでもよいし、金属製のものでもよい。台座の面の形状は、平面視で矩形や円状の平板状が好適に用いられるが、その他の形状でもよい。例えば、半球状、円錐状、多角錘状、多角柱などの台座でもよい。また、台座のサイズや形状に合わせて、フードピックの根元部の突き刺し部と嵌合する凹部の数や配置を変更してもよい。台座の立体形状を駆使することで、多彩な盛り付けが可能となる。
【考案の効果】
【０００９】
本考案のツリー状フードピックによれば、料理を楽しく盛り付けできるといった効果を有する。
【図面の簡単な説明】
【００１０】
【図１】実施例１のツリー状フードピックの正面図
【図２】実施例１のツリー状フードピックの使用例
【図３】実施例１のツリー状フードピック用台座の斜視図
【図４】実施例１のツリー状フードピックを台座にセットした断面図
【図５】実施例１のツリー状フードピックを台座にセットした斜視図
【図６】実施例１のツリー状フードピックおよび台座の使用例１
【図７】実施例１のツリー状フードピックおよび台座の使用例２
【考案を実施するための最良の形態】
【００１１】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１２】
図１は、実施例１のツリー状フードピックの正面図を示している。図１に示すように、フードピック１は、ツリー状を呈しており、胴部２、枝部３、根元部４から成る。枝部（３ａ〜３ｅ）および根元部４の先端は、食品を突き刺すことができるように、突き刺し部として胴部２よりもやや細く形成されている。しかし、枝部（３ａ〜３ｅ）又は根元部４は、食品を突き刺すだけではなく、その部位を把持して使用することもあるので、安全のため、鋭利な形状ではなく丸みを帯びた形状となっている。また、図示しないが、フードピック１は、板状に形成されており、２本の指でも容易に把持することが可能である。なお、フードピック１の材質は、ステンレス製であるが、その他の金属や、プラスチック等の樹脂或は木製でもよい。
【００１３】
図２は、実施例１のツリー状フードピックの使用例を示している。図２に示すように、枝部３ａには食品６ａが刺され、枝部３ｂには食品６ｂが刺され、枝部３ｃには食品６ｃが刺され、枝部３ｄには食品６ｄが刺され、枝部３ｅには食品６ｅが刺され、盛り付けられている。このように、フードピック１には、多数の突き刺し部が設けられているため、一度に様々な食品を盛り付けることが可能である。フードピック１はツリー状を呈しているため、食品を盛り付けると、あたかも樹木に花や実が成っているような形態となり、華やかな盛り付けが可能である。本実施例では、各枝に異なる種類の食品を刺して盛り付けているが、同じ種類の食品を刺してもよいし、また、全ての枝に刺すのではなく、一部の枝のみに食品を刺して盛り付けてもよい。
【００１４】
図３は、実施例１のツリー状フードピック用台座の斜視図を示している。図３に示すように、台座５には凹部５ａが５つ設けられ、凹部５ａにフードピックを挿し込んでフードピックを固定することが可能な構造となっている。台座５には、凹部５ａは５つ設けられており、５本のフードピックを挿し込んで固定することが可能である。
台座５の材質は、木製であるが、プラスチック、シリコン等の樹脂製のものでもよいし、金属製のものでもよい。台座５の面の形状は、四角形であるが、五角形など他の多角形でもよいし、円状或は楕円状のものでもよい。台座５の面の形状に合わせて、凹部５ａの配置および数を変更することで、多彩な盛り付けが可能となる。
【００１５】
図４は、実施例１のツリー状フードピックを台座にセットした断面図を示している。図４に示すように、台座５に設けられた凹部５ａにフードピック１の根元部４を挿し込むことによって、フードピック１が倒れることを防ぎ、審美性の高い盛り付けが可能となる。
【００１６】
図５は、実施例１のツリー状フードピックを台座にセットした斜視図を示している。図５に示すように、台座５にフードピック１を挿し込むことで、フードピック１が生育した樹木のような形態を呈し、様々な盛り付けを可能にする。
【００１７】
図６は、実施例１のツリー状フードピックおよび台座の使用例を示している。図６に示すように、台座５には、５本のフードピック１が挿し込まれ、フードピック１には、それぞれ５つの食品６ａが刺され、盛り付けられている。ここでは全ての枝部に食品６ａを刺しているが、図２に示すように、異なる食品を刺して盛り付けてもよいし、一部の枝部にのみ刺して盛り付けてもよい。枝部に食品が盛り付けられている場合には、飲食の際に、図１に示すフードピック１の胴部２を把持し、台座５から抜き取って使用する。
【００１８】
図７は、実施例１のツリー状フードピックおよび台座の使用例を示している。図７に示すように、フードピック１は、枝部だけではなく根元部も食品を突き刺すことが可能な形状となっているため、皿７上に置かれた食品６ｆの上部にフードピック１の根元部を挿し込むことで、飲食者は、フードピック１を把持して食品６ｆを口に運ぶことができる。また、フードピック１は従来の棒状のフードピックとは異なり、皿状に置かれた食べ物に単に突き刺すだけでも、あたかも樹木がそびえ立っているような形態を醸し出すことができるので、容易に華やかな盛り付けを行うことが可能である。根元部に食品が盛り付けられている場合には、飲食の際に、図１に示すフードピック１の胴部２或は枝部３を把持して使用する。
【００１９】
（その他の実施例）
（１）実施例１のフードピックは、５本の枝部（３ａ〜３ｅ）を有するが、３本や７本の枝部を有してもよい。また、偶数本の枝部を有してもよい。
（２）実施例１では、５本のフードピックが板状の台座の表面に取り付けられているが、台座の表面に１０本或は２０本とフードピックが取り付けられてもよい。
（３）実施例１では、フードピックが板状の台座に取り付けられているが、台座形状が半球状であり、凸部表面にフードピックが取付けられるものでもよい。また、台座形状が三角柱のようなものであり、三角柱の１つの側面を下にして台座をテーブルに置き、残りの２つの側面（斜面）にフードピックが取付けられるものでもよい。
【産業上の利用可能性】
【００２０】
本考案は、食品の盛り付け用のフードピックとして有用である。
【符号の説明】
【００２１】
１  フードピック
２  胴部
３  枝部
４  根元部
５  台座
５ａ  凹部
６ａ〜６ｆ  食品
７  皿
【図１】
0003203738.tif 000003
【図２】
0003203738.tif 000004
【図３】
0003203738.tif 000005
【図４】
0003203738.tif 000006
【図５】
0003203738.tif 000007
【図６】
0003203738.tif 000008
【図７】
0003203738.tif 000009